(57)【要約】【課題】開封に必要な外力を低減して容易に開封可能であり、内容物を安定的に外部に提供することができる缶蓋を提供する。【解決手段】開封予定部３０を有する本体１０と、本体とリベット７０によって結合され一端は把持部５１として作用し他端は開封予定部に圧力を加える加圧部５２として作用するタブ５０と、を含む缶蓋１を提供する。この缶蓋１は、開封予定部３０の中心においてタブの延長方向と同一方向に延長形成された中央スコア３１と、中央スコアの一端において左右対称に延長形成された第１境界スコア３２と、中央スコアの他端において左右対称に延長形成された飲用延長部３３ｃ及び第１境界スコアの端部付近まで下方向に延長形成される拡張延長部３３ｄを有し第１境界スコアと共に開封予定部を本体の上面から分割して区画する第２境界スコア３３と、を有し、少なくとも第１境界スコアと第２境界スコアとの間の領域はステイ部３５として作用する。【選択図】図２
2008213934.tif 000002
【特許請求の範囲】
【請求項１】
上面の所定領域がスコアによって開封予定部に区画された本体と、前記本体とリベットによって結合され、前記リベットを中心にして一端は把持部として作用し、反対側の他端は前記開封予定部に圧力を加えるための加圧部として作用するタブと、を含む缶蓋において、
前記開封予定部の中心には、その中心が前記タブの延長方向と同一方向に延長形成された中央スコアが提供され、
前記中央スコアのリベット側に位置した一端には、前記中央スコアから連続して左右対称に延長形成された第１境界スコアが提供され、
前記中央スコアのリベットの反対側に位置した他端には、前記中央スコアから連続して左右対称に延長される飲用延長部を形成すると共に、その両端が前記第１境界スコアの端部付近まで下方向に延長される拡張延長部を形成することで、前記第１境界スコアと共に前記開封予定部を本体の上面から分割して区画する第２境界スコアが提供され、
少なくとも前記第１境界スコアと前記第２境界スコアとの間の領域がステイ部として作用することを特徴とする、缶蓋。
【請求項２】
前記中央スコアは、直線形状で形成されたことを特徴とする、請求項１に記載の缶蓋。
【請求項３】
前記第２境界スコアの前記拡張延長部は、直線形状であることを特徴とする、請求項１に記載の缶蓋。
【請求項４】
前記第２境界スコアの前記拡張延長部は、曲線形状であることを特徴とする、請求項１に記載の缶蓋。
【請求項５】
前記第２境界スコアの前記飲用延長部の長さは、前記第１境界スコアの横方向延長長さより長いことを特徴とする、請求項１に記載の缶蓋。
【請求項６】
前記第２境界スコアの前記飲用延長部の長さは、前記第１境界スコアの横方向延長長さより短いことを特徴とする、請求項１に記載の缶蓋。
【請求項７】
前記第１境界スコアと前記第２境界スコアとの間の前記ステイ部は、前記開封予定部の中間領域に形成されることを特徴とする、請求項１に記載の缶蓋。
【請求項８】
前記開封予定部には、前記タブの加圧部が接触する地点に隣接して、前記中央スコアの破断経路を妨害せずにエンボス凹凸部が形成されることを特徴とする、請求項１に記載の缶蓋。
【発明の詳細な説明】
【技術分野】
【０００１】
本発明は、スコア破断用タブを備えた缶蓋に関し、特に、この缶蓋を区画して開封予定部を形成するスコア等を改良することにより、開封性及び飲用性を改善することができる缶蓋に関するものである。
【背景技術】
【０００２】
図１Ａは、従来の金属缶を示した斜視図であり、図１Ｂは、図１Ａのスコア破断用タブが備わった缶蓋を示した平面図である。
【０００３】
容易な開封性のために開発された従来のアルミニウムまたはスチール材質の缶蓋１００は、缶蓋の上面の所定部位が、予め刻まれた略円形の連続的なスコア（ｓｃｏｒｅ、切り込み）３１０によって開封予定部３００に区画されており、この開封予定部３００を上方向から加圧するための手段としてのステイオンタブ（Ｓｔａｙ―ｏｎ―ｔａｂ）５００などの開封手段が、蓋本体１００上面の前記開封予定部３００に隣接してリベット７００締結された形態のプッシュオープンタイプの缶蓋１００である。このような缶蓋１００の周縁部は、缶ボディー２００の端部に機械的に噛み合って結合されている。
【０００４】
一方、従来の缶は、耐圧缶及び減圧缶によって構成されている。よって、この缶に用いられるプッシュオープンタイプの缶蓋においては、内容物が缶の内部から噴き上がって缶蓋を押すウォーターハンマー現象によって、缶蓋の軟弱部（構造的に他の部分に比べて耐圧性が低い部位）を構成するスコアが意図せずに破断されて突然開封されることを防止するために、缶の内外の圧力変化に安定的に耐えられるように所定の厚さ以上のスコア加工が要求される。したがって、缶の開封のためにスコアを物理的に破断するとき、所定の大きさ以上の外力が要求されるが、この外力は、タブの加圧部によって伝達される力に依存するようになる。
【０００５】
つまり、従来の缶蓋１００を開封するためには、把持部５１０として機能するタブ５００の一端を上方向に持ち上げる。すると、梃子の原理によってタブ５００の他端、すなわち加圧部５２０が、開封予定部３００の中央を加圧すると同時に、リベット７００が締結された本体部分が相対的に持ち上げられる。その結果、破断は、リベット７００付近のスコア３１０で開始され、残りのスコア３１０に沿って円周方向に伝播される。タブ５００の把持部５１０が充分に持ち上げられると、開封予定部３００は、缶の内部にさらに下降し、環形のスコア３１０に沿って時計方向に伝播される破断は、スコア３００の終端に到達する。そして、この破断は、スコア未加工領域であるステイ部３５０によって止まり、開封が完了される。下降した開封予定部３００は、ステイ部３５０側に偏って斜めに下方傾斜した状態で缶の内部に位置する（図１Ａ参照。）。
【発明の開示】
【発明が解決しようとする課題】
【０００６】
しかしながら、上記のような従来の缶蓋１００においては、スコア３１０が開封予定部３００の周囲で略環形の形状を有するので、タブ５００の加圧部５２０から開封予定部３００の中央に伝達された外力の一部が分散されることで、スコア３１０の破断が開始される部位に力が集中せずに、破断開始時に多くの外力を必要とする。さらに、破断の伝達には、より一層多くの外力が必要となる。従って、力の弱い老弱者、子供または患者等にとっては、缶蓋１００の開封は依然として困難である。また、必要以上の過度な力を加える場合、タブ５００部材または連結リベット７００の損傷を誘発してしまい、カッター機などの別途の道具を用いて開封するしかないという問題点があった。
【０００７】
さらに、缶蓋の開封後は、図１Ｃに示すように、開封予定部３００は、開口部の一側に偏って缶の内部に下方傾斜した状態で維持されるので、缶の内容物を飲用したり引き出す過程で、この開封予定部３００が内容物の流れを妨害し、内容物が思わぬ方向に流れたり、意図せずに溢れ出すという問題点もあった。
【０００８】
そこで、本発明は、上記問題に鑑みてなされたものであり、本発明の目的とするところは、開封に必要な外力を低減して容易に開封可能であり、開封後に缶の内容物の流れを妨害せずにその内容物を安定的に外部に提供することが可能な、新規かつ改良された缶蓋を提供することにある。
【課題を解決するための手段】
【０００９】
上記課題を解決するために、本発明のある観点によれば、上面の所定領域がスコアによって開封予定部に区画された本体と、本体とリベットによって結合され、リベットを中心にして一端は把持部として作用し、反対側の他端は開封予定部に圧力を加えるための加圧部として作用するタブと、を含む缶蓋において、開封予定部の中心には、その中心がタブの延長方向と同一方向に延長形成された中央スコアが提供され、中央スコアのリベット側に位置した一端には、中央スコアから連続して左右対称に延長形成された第１境界スコアが提供され、中央スコアのリベットの反対側に位置した他端には、中央スコアから連続して左右対称に延長される飲用延長部を形成すると共に、その両端が第１境界スコアの端部付近まで下方向に延長される拡張延長部を形成することで、第１境界スコアと共に開封予定部を本体の上面から分割して区画する第２境界スコアが提供され、少なくとも第１境界スコアと第２境界スコアとの間の領域がステイ部として作用することを特徴とする、缶蓋が提供される。
【００１０】
また、中央スコアは、直線形状で形成されてもよい。
【００１１】
また、第２境界スコアの拡張延長部は、直線形状であってもよい。この構成によれば、開封作業の完了後、開封予定部は、拡張延長部で缶蓋本体の上面から分離されずに、缶の内部に曲げられた状態で維持されるので、缶の外側に抽出される内容物を案内する役割を行うことができる。
【００１２】
また、第２境界スコアの拡張延長部は、曲線形状であってもよい。この構成によれば、開封作業の完了後、開封予定部は、拡張延長部で缶蓋本体の上面から完全に分離されるので、開封口の大きさを拡張させることができる。
【００１３】
また、第２境界スコアの飲用延長部の長さは、第１境界スコアの横方向延長長さより長くてもよい。この構成によれば、開封作業の完了後、内容物の引き出し量が増加する。
【００１４】
また、第２境界スコアの飲用延長部の長さは、第１境界スコアの横方向延長長さより短くてもよい。この構成によれば、開封作業の完了後、内容物の引き出し量が減少する。
【００１５】
また、第１境界スコアと第２境界スコアとの間のステイ部は、開封予定部の中間領域に形成されてもよい。この構成によれば、開封作業に必要な力を減少させると同時に、迅速な開封が可能になる。
【００１６】
また、開封予定部には、タブの加圧部が接触する地点に隣接して、中央スコアの破断経路を妨害せずにエンボス凹凸部が形成されてもよい。この構成によれば、開封過程で開封予定部の剛性が補強されて変形が防止されることで、タブの加圧部からの開封圧力が効果的に伝達される。
【発明の効果】
【００１７】
以上説明したように本発明によれば、開封に必要な外力を低減して容易に開封可能であり、開封後に缶の内容物の流れを妨害せずにその内容物を安定的に外部に提供することができるので、使用上の便利性を向上せせることができる。
【発明を実施するための最良の形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
＜一実施形態＞
図２は、本発明の一実施形態に係る缶蓋１を示した平面図である。
図２に示したように、缶蓋１は、略板形状の本体１０と、本体１０の中央部に固定されるタブ５０と、から構成される。図面において、タブ５０は点線で表示する。以下、缶蓋１の面内におけるタブ５０の延長方向（長手方向）を「縦方向」とし、これに垂直な方向を「横方向」として説明する。
【００２０】
本体１０の所定領域は、缶蓋上面の他の領域からスコア３１，３２，３３によって開封予定部３０として分割・区画される。この開封予定部３０は、缶蓋上面の開封されることが予定された部位である。そして、開封予定部３０とタブ５０が設置される領域との周囲において長楕円形状に陰刻加工された凹底部２０は、タブ５０を収容すると同時に、開封過程で本体１０に剛性を与えている。
【００２１】
タブ５０は、リベット７０によって本体１０に固定されている。そして、開封過程において、リベット７０を基準にしてタブ５０の一端は、使用者が把持するための把持部５１として機能し、タブ５０の他端は、開封予定部３０の中央部を加圧するための加圧部５２として機能する。この場合、加圧部５２の終端が、開封予定部３０の縦方向の長さを基準にして約２／５〜３／５の地点を加圧するようにリベット７０から延長されると、開封に要される外力を減少できるので有利である。タブ５０の把持部５１が位置する凹底部２０の上面には、把持部５１を支持し、把持部５１と凹底部２０との間の離隔空間を形成するための複数の間隔突起２１が形成される。
【００２２】
本実施形態の構成は、開封に要される外力の損失を最小化するために、開封予定部３０に提供されるスコア３１，３２，３３の加工を改善したことを特徴とする。これらスコア３１，３２，３３は、開封予定部３０を本体１０の他の領域から区画し、後述するように、開封過程で破断または折り曲げられるように予定された切り込みであり、金型などを用いて加圧成形される一種の圧痕である。
【００２３】
まず、開封予定部３０の中心には、縦方向に沿って延長形成された中央スコア３１が提供される。中央スコア３１は、一端３１ａがリベット７０付近で開始され、他端３１ｂが凹底部２０に隣接して終結される。中央スコア３１の形状は、開封過程で破断が容易に展開されるように、図２に示したように、直線形状で形成されることが好ましい。
【００２４】
中央スコア３１のリベット７０側に位置した一端３１ａには、中央スコア３１から連続して横方向に左右対称に延長形成された第１境界スコア３２が提供される。この第１境界スコア３２は、開封予定部３０の周辺一部（周囲の一部）を構成すると同時に、開封過程でリベット７０周囲の本体１０上面が持ち上げられることで、開封の開始部位として作用する。
【００２５】
第１境界スコア３２は、中央スコア３１と交差するノード３１ａ付近でリベット７０の周囲に沿って緩慢な曲線形状で形成されることが好ましい。つまり、ノード３１ａ付近の第１境界スコア３２は、リベット７０と反対側に突出した曲線（例えば、リベット７０を中心とした略円弧状）に形成されるのが好ましい。これによって、開封過程でリベット７０周辺部の本体１０上面が持ち上げられる場合、第１境界スコア３２に対して破断に必要な引張力が効果的に伝達されることで、破断が容易に開始される。
【００２６】
本実施形態において、第１境界スコア３２の端部３２ａは、ほぼ水平（横方向）に延長されて終結され、各端部３２ａには、後述する加工緩衝スコア３４が第１境界スコア３２の内側に沿って並んで延長形成される。
【００２７】
一方、中央スコア３１のリベット７０の反対側に位置した他端３１ｂには、第２境界スコア３３が提供される。この第２境界スコア３３は、中央スコア３１から連続して左右対称に延長形成された飲用延長部３３ｃと、両端３３ａが第１境界スコア３２の各端部３２ａ付近まで下方向（缶蓋１の面内のタブ５０の長手方向における第１境界スコア３２方向）に延長形成された拡張延長部３３ｄと、を含む。そして、第２境界スコア３３は、第１境界スコア３２と共に、開封予定部３０を本体１０上面の他の領域から分割・区画している。
【００２８】
第１境界スコア３２の端部３２ａと第２境界スコア３３の端部３３ａとの間には、スコア未加工領域であるステイ部３５が提供される。このステイ部３５は、缶蓋１の開封が完了された後も、缶蓋１と開封予定部３０とを連結しており、缶蓋１の上面から分離された開封予定部３０が缶の内部に脱落されることを防止する。
【００２９】
飲用延長部３３ｃは、使用者の飲み口を形成する部位であり、凹底部２０と同様に、環形の缶蓋本体１０の周縁部形状にほぼ一致して緩やかな流線形態で横方向に延長形成される。そして、引用延長部３３ｃは、その中心が中央スコア３１のノード３１ｂと交差するように構成される。図２に示すように、第２境界スコア３３の飲用延長部３３ｃと第１境界スコア３２の横方向延長長さは、ほぼ同一に構成されてもよい。
【００３０】
本実施形態において、拡張延長部３３ｄは、第２境界スコア３３を延長して拡張した部位であり、直線型で形成されて飲用延長部３３ｃから急激に下方に延長される形態を有する。このような直線型拡張延長部３３ｄの場合、破断過程で飲用延長部３３ｃの延長方向Ｄ３３ｃと拡張延長部３３ｄの延長方向Ｄ３３ｄとがなす角θが大きくなり、飲用延長部３３ｃの延長方向Ｄ３３ｃに沿って進行する破断の進行が制限される。したがって、このような直線型拡張延長部３３ｄにおいては、開封過程でタブ５０の把持部５１が十分に持ち上げられ、加圧部５２が最大限に缶の内側に下降する場合にも、拡張延長部３３ｄは破断されずに曲げられた状態で維持される。本実施例において、第２境界スコア３３の飲用延長部３３ｃの長さと第１境界スコア３２の横方向延長長さとがほぼ同一であるので、直線形状の中央スコア３１と第２境界スコア３３の拡張延長部３３ｄとはほぼ平行をなす。
【００３１】
一方、第１境界スコア３２の内側、中央スコア３１の左右両側、及び第２境界スコア３３の内側には、これらと平行に形成される加工緩衝スコア３４が提供される。加工緩衝スコア３４は、第１境界スコア３２の端部３２ａから開始され、第１境界スコア３２、中央スコア３１及び第２境界スコア３３に沿って並んで延長されて第２境界スコア３２の端部３３ａで終結される形態で提供される。この加工緩衝スコア３４は、第１境界スコア３２、中央スコア３１、及び第２境界スコア３３に対する溝加工時、缶蓋１の本体１０を構成する材質の移動量を吸収または最小化することで、急激な組質変化や形状の変化を予防するものである。また、加工緩衝スコア３４は、開封過程で破断または曲げられることを予定していないので、第１境界スコア３２、中央スコア３１及び第２境界スコア３３に比べて加工深さが浅いことが好ましい。
【００３２】
次に、図３Ａを参照して、以上のように構成された缶蓋１の開封過程を説明する。
缶を開封するために、タブ５０の把持部５１が持ち上げられて加圧部５２が下降すると、加圧部５２は、開封予定部３０の中央を加圧すると同時に、リベット７０に隣接した缶蓋本体１０の上面一部が上昇することになり、第１境界スコア３２にほぼ垂直な引張力が印加される。引張力が所定の限界値を超えると、第１境界スコア３２と中央スコア３１との連結ノード３１ａ付近で破断が開始される（図３Ａの（ａ）を参照）。次いで、把持部５１の上昇によって加圧部５２がさらに下降すると、破断は、中央スコア３１に沿って展開された後、中央スコア３１のリベット７０の反対側に位置したノード３１ｂを経て飲用延長部３３ｃに沿って横方向に進行される（図３Ａの（ｂ）を参照）。
【００３３】
この破断によって、開封予定部３０は、中央スコア３１に対して左右対称に二つの断片３３ａ，３３ｂに分離される。開封過程の最後段階で、タブ５０は、缶蓋１の上面に対してほぼ垂直に整列されることで、直線型拡張延長部３３ｄが曲げられ、中央スコア３１を基準にして分離された開封予定部３０の二つの断片３３ａ，３３ｂは、タブ５０の加圧部５２の側端によって缶の内側に押される（図３Ａの（ｃ）を参照）。このように曲げられた開封予定部３０の二つの断片３３ａ，３３ｂは、内容物の飲用または引き出し過程で側壁の役割を担当し、内容物が開封口の中央に円滑に流れるように案内する（図３Ｂを参照）。
【００３４】
以上、本発明の一実施形態について説明したが、本発明の範囲は、上記の実施形態に限定されるものでなく、本発明の本質及び特徴的構成を逸脱しない範囲で多様な他の実施形態や変更例が可能である。
【００３５】
＜他の実施形態＞
そこで、以下では、他の実施形態について図４〜図８を参照して説明する。
他の実施形態として例えば、図４に示すように、中央スコア３１の形状は、直線型で構成する以外にも、開封予定部３０の破断前後における美的外観を考慮した上で、曲線形状で構成することもできる。ただし、この場合も、曲線の曲率半径は、破断の展開を妨害しない範囲で適切に調節されることが好ましい。
【００３６】
更に他の実施形態として例えば、図５に示すように、第２境界スコア３３の拡張延長部３３ｄの形状は、図２に示した直線形状の代わりに曲線形状で構成することもできる。図５に示すように拡張延長部３３ｄ’を曲線型で形成する場合、飲用延長部３３ｃの延長方向Ｄ３３ｃと拡張延長部３３ｄ’の延長方向Ｄ３３ｄ’とがなす角θ’が小さくなることで、飲用延長部３３ｃの延長方向Ｄ３３ｃに沿って進行してきた破断は、拡張延長部３３ｄ’まで完全に行われた後、第１境界スコア３２と第２境界スコア３３との間に提供されるステイ部３５で止まる。開封が完了されると、ステイ部３５付近を除いた第１境界スコア３２及び第２境界スコア３３が完全に破断され、分離された開封予定部３０の二つの断片３３ａ，３３ｂは、リベット７０側に偏った状態でステイ部３５によって支持されて缶の内側に曲がる。これによって、開封口を通して引き出される流体の流れを制限しなくなり、内容物の引き出し速度を一層増加できるようになる。
【００３７】
また更に他の実施形態として例えば、図６Ａ及び図６Ｂに示すように、第１境界スコア３２及び／または第２境界スコア３３の飲用延長部３３ｃの横方向延長長さを、内容物の所望の引き出し速度によって適切に調節することができる。すなわち、図６Ａに示すように、飲用延長部３３ｃの延長長さを第１境界スコア３２の横方向延長長さより大きくする場合、開封後における内容物の引き出し量及び引き出し速度を増加できる。また、図６Ｂに示すように、飲用延長部３３ｃの延長長さを第１境界スコア３２の横方向延長長さより小さくする場合、開封後における内容物の引き出し量を減少できるので、老人、子供及び患者などが飲用するのに適している。
【００３８】
そして更に他の実施形態として例えば、図７に示すように、ステイ部３５は、開封予定部３０の中間領域に形成することもできる。この場合、図７に示すように、第１境界スコア３２には、横方向延長部３２ｃ以外にも、第２境界スコア３３の端部３３ａ，３３ａに向かって上方向に延長された第１境界スコア３２の拡張延長部３２ｄが追加的に備わる。図２に示した一実施形態において開封に要される時間は、第２境界スコア３３での破断進行に要される時間に全的に依存して相対的に長いが、図７に示す本実施形態のように、第２境界スコア３３の拡張延長部３３ｄの長さを相対的に短くすると、破断進行に要される時間も短縮される。この場合、第１境界スコア３２の拡張延長部３２ｄの形状及び破断の有無は、図２に示した第２境界スコア３３の拡張延長部３３ｄと同一に制御される。
【００３９】
そしてまた更に他の実施形態として例えば、図８に示すように、開封過程でスコア３１，３２，３３の破断または変形を容易に引き起こすために、外力は、タブ５０の加圧部５２を通して、損失なしにスコア３１，３２，３３に効果的に伝達されてもよい。このような観点で、加圧部５２からの垂直抗力に抵抗して変形を防止できるように、開封予定部３０の二つの断片３３ａ，３３ｂには、加圧地点の周囲に剛性補強用にエンボス加工されたエンボス凹凸部３７を備えることが好ましい（図８参照。）。この場合、エンボス凹凸部３７は、中央スコア３１の破断経路に干渉を与えないように形成されることが好ましい。
【００４０】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００４１】
【図１Ａ】従来技術に係る金属缶を示した斜視図である。
【図１Ｂ】図１Ａの缶蓋を示した平面図である。
【図１Ｃ】開封状態の缶蓋を示した図１ＡのＡ−Ａ線断面図である。
【図２】本発明の一実施形態に係る缶蓋を示した平面図である。
【図３Ａ】図２の缶蓋の開封過程を示した図である。
【図３Ｂ】開封状態の缶蓋を示した図３Ａの（ｃ）のＢ−Ｂ線断面図である。
【図４】本発明の他の実施形態に係る缶蓋を示した平面図である。
【図５】本発明の他の実施形態に係る缶蓋を示した平面図である。
【図６Ａ】本発明の他の実施形態に係る缶蓋を示した平面図である。
【図６Ｂ】本発明の他の実施形態に係る缶蓋を示した平面図である。
【図７】本発明の他の実施形態に係る缶蓋を示した平面図である。
【図８】本発明の他の実施形態に係る缶蓋を示した平面図である。
【符号の説明】
【００４２】
１      缶蓋
１０    本体
２０    凹底部
２１    間隔突起
３０    開封予定部
３０ａ，３０ｂ    開封予定部の断片
３１    中央スコア
３１ａ，３１ｂ    中央スコアの端部（連結ノード）
３２    第１境界スコア
３２ａ  第１境界スコアの端部
３２ｄ  拡張延長部
３３    第２境界スコア
３３ａ  第２境界スコアの端部
３３ｃ  飲用延長部
３３ｄ，３３ｄ’    拡張延長部
３４    加工緩衝スコア
３５    ステイ部
３７    エンボス凹凸部
５０    タブ
５１    把持部
５２    加圧部
７０    リベット
【図１Ａ】
2008213934.tif 000003
【図１Ｂ】
2008213934.tif 000004
【図１Ｃ】
2008213934.tif 000005
【図２】
2008213934.tif 000006
【図３Ａ】
2008213934.tif 000007
【図３Ｂ】
2008213934.tif 000008
【図４】
2008213934.tif 000009
【図５】
2008213934.tif 000010
【図６Ａ】
2008213934.tif 000011
【図６Ｂ】
2008213934.tif 000012
【図７】
2008213934.tif 000013
【図８】
2008213934.tif 000014